(57)【要約】【課題】  全てのＬＥＤを無駄なく動作させつつ簡易に白色を実現することができるプロジェクタを提供すること。【解決手段】  各色光照明装置２１，２３，２５においてそれぞれ動作させる各色ごとのＬＥＤ２１ｆ，２３ｆ，２５ｆの個数を、これらＬＥＤ２１ｆ，２３ｆ，２５ｆの光利用効率Ｇｇ，Ｇｂ，Ｇｒを考慮した各色ごとの目標光束量Ａｇ，Ａｂ，Ａｒに基づいて設定している。これにより、ＬＥＤ２１ｆ，２３ｆ，２５ｆを連続的に無駄なく動作させつつ、各色の液晶ライトバルブ３１，３３，３５における照度の色バランスを適切なものとすることができ、より目的に近い色彩（例えば白色）を実現することができる。また、各ＬＥＤ２１ｆ，２３ｆ，２５ｆの電力の調節によって出力光束量を調整する場合に比較して、調整用のボリュームが不要で回路構造が簡単になり、各ＬＥＤ２１ｆ，２３ｆ，２５ｆの動作も安定したものとなる。【選択図】    図１
2005092048.tif 000002
【特許請求の範囲】
【請求項１】
各色の照明光を発生する各色の照明ユニットを有するとともに、当該各色の照明ユニットにおいてそれぞれ動作させる各色ごとの固体光源の個数を、各固体光源の光利用効率を考慮した各色ごとの目標光束量に基づいて設定した照明装置と、
前記照明装置からの前記各色の照明光によってそれぞれ照明される複数の空間光変調装置と、
前記複数の空間光変調装置からの像光を合成して射出する光合成光学系と、
前記光合成光学系を経て合成された像光を投射する投射光学系と
を備えるプロジェクタ。
【請求項２】
前記照明装置は、各固体光源が出力する出力光束量と、各色ごとの固体光源の個数と、各固体光源の光利用効率とに関する各色ごとの照明積の比率が、各色ごとの前記目標光束量の比率と略等しいことを特徴とする請求項１載のプロジェクタ。
【請求項３】
各固体光源の光利用効率は、各固体光源の配置と前記照明装置を構成する光学系とに依存して与えられることを特徴とする請求項１及び請求項２のいずれか一項記載のプロジェクタ。
【請求項４】
前記各色ごとの目標光束量は、投射像においてホワイトバランスを達成するための比率に設定されていることを特徴とする請求項１から請求項３のいずれか一項記載のプロジェクタ。
【請求項５】
前記各色の照明ユニットを構成する各固体光源の出力光束量はそれぞれ等しく設定されていることを特徴とする請求項１から請求項４のいずれか一項記載のプロジェクタ。
【請求項６】
前記各色の照明ユニットを構成する各固体光源の出力光束量は少なくとも一部が異なるように設定されていることを特徴とする請求項１から請求項４のいずれか一項記載のプロジェクタ。
【請求項７】
前記各色の照明ユニットは、固体光源の射出側にオプティカル・インテグレータを備えることを特徴とする請求項項１から請求項６のいずれか一項記載のプロジェクタ。
【請求項８】
前記固体光源は、ＬＥＤであることを特徴とする請求項１から請求項７のいずれか一項記載のプロジェクタ。
【発明の詳細な説明】
【技術分野】
【０００１】
本発明は、ＬＥＤ等の固体光源を利用して液晶表示素子その他の空間光変調装置を照明することによりカラー画像を投射するプロジェクタに関する。
【背景技術】
【０００２】
カラー画像を表示するプロジェクタとして、各色ごとにほぼ同数のＬＥＤを配列したＲＧＢの３色の半導体光源からなる光源装置を組み込んだプロジェクタが存在する（特許文献１参照）。このプロジェクタでは、各色の半導体光源の相対強度を調節するため、色ごとに点灯時間を変えている。このような構成とした場合、各色の半導体光源を構成するＬＥＤの個数比を調節するとともに連続動作させて白色を実現する場合に比較して、各半導体光源からほぼ同一断面の光束を得ることができ、光源装置やプロジェクタを小型化することができる。
【特許文献１】特開２００１−５１６５１号公報
【発明の開示】
【発明が解決しようとする課題】
【０００３】
しかし、上述のような光源装置では、結果的に、特定色に関する点灯時間の割合を減少させた分だけその色のＬＥＤの個数を増加させることなり、特定の色について有効に活用されないＬＥＤを増加させることになるので、光源装置延いてはプロジェクタのコスト増加をまねく。また、光源装置の駆動回路も複雑なものとなる。
【０００４】
そこで、本発明は、全てのＬＥＤを無駄なく動作させつつ簡易に白色を実現することができるプロジェクタを提供することを目的とする。
【課題を解決するための手段】
【０００５】
上記課題を解決するため、本発明のプロジェクタは、（ａ）各色の照明光を発生する各色の照明ユニットを有するとともに、当該各色の照明ユニットにおいてそれぞれ動作させる各色ごとの固体光源の個数を、各固体光源の光利用効率を考慮した各色ごとの目標光束量に基づいて設定した照明装置と、（ｂ）照明装置からの各色の照明光によってそれぞれ照明される複数の空間光変調装置と、（ｃ）複数の空間光変調装置からの像光を合成して射出する光合成光学系と、（ｄ）光合成光学系を経て合成された像光を投射する投射光学系とを備える。
【０００６】
上記プロジェクタでは、各色の照明ユニットにおいてそれぞれ動作させる各色ごとの固体光源の個数を、各固体光源の光利用効率を考慮した各色ごとの目標光束量に基づいて設定しているので、固体光源を連続的に無駄なく動作させた場合にも、各色の空間光変調装置における照明光の照度のバランスを適切なものとすることができる。この際、各固体光源の光利用効率を考慮しているので、単に固体光源の出力光束量に基づいて各色ごとの固体光源の個数を設定するだけの従来方法に比較して、より目標に近い色彩（例えば白色）を実現しやすくなる。また、各固体光源の電力の調節によって出力光束量を調整する場合に比較して回路構造が簡単で固体光源の動作も安定したものとなる。
【０００７】
本発明の具体的態様では、照明装置が、各固体光源が出力する出力光束量と、各色ごとの固体光源の個数と、各固体光源の光利用効率とに関する各色ごとの照明積の比率が、目標光束量の比率と略等しい。この場合、固体光源の本来の明るさに対応する出力光束量と、各色に関して積算される固体光源の個数と、固体光源から有効に取り出せる明るさに対応する光利用効率とに基づいて、各色の空間光変調装置に対する各色の照明光に関する照度のバランスを簡易に適切なものとすることができる。
【０００８】
本発明の別の具体的態様では、各固体光源の光利用効率が、各固体光源の配置と照明装置を構成する光学系とに依存して与えられる。この場合、固体光源が照明装置の光学系の光軸からずれている偏心量等のパラメータによって光源の利用効率を簡易に見積もることができる。
【０００９】
本発明の別の具体的態様では、各色ごとの目標光束量が、投射像においてホワイトバランスを達成するための比率に設定されている。この場合、自然な白色を投射することができ、鮮やかなカラー画像を再現することができる。なお、具体的には、照明装置が、ＲＧＢの３色に対応する３つのユニットを含み、目標光束量の比率が、ＲＧＢの各色ごとに例えば３：１０：１である。
【００１０】
本発明の別の具体的態様では、各色の照明ユニットを構成する各固体光源の出力光束量はそれぞれ等しく設定されている。この場合、同一規格の固体光源からなる比較的簡単な構造の照明装置を構成することができる。
【００１１】
本発明の別の具体的態様では、各色の照明ユニットが固体光源の射出側にオプティカル・インテグレータを備える。この場合、各照明ユニットにおける固体光源の個数や配列に関わらず、均一な照明を確保することができる。
【００１２】
本発明の別の具体的態様では、各色の照明ユニットを構成する各固体光源の出力光束量は少なくとも一部が異なるように設定されている。この場合、特定照明ユニットを構成する各固体光源の出力光束量の設定によって目標光束量を目標値に微調整することができる。
【００１３】
本発明の別の具体的態様では、固体光源がＬＥＤである。この場合、ＬＥＤを用いて高輝度で安定した照明が可能になる。
【発明を実施するための最良の形態】
【００１４】
〔第１実施形態〕
図１は、本発明の第１実施形態に係るプロジェクタの構造を概念的に説明するブロック図である。このプロジェクタ１０は、照明装置２０と、光変調装置３０と、投射レンズ４０と、制御装置５０とを備える。ここで、照明装置２０は、各色の照明ユニットとして、Ｇ光照明装置２１と、Ｂ光照明装置２３と、Ｒ光照明装置２５とを有するとともに、これらを駆動するための光源駆動装置２７を備える。また、光変調装置３０は、空間光変調装置である３つの液晶ライトバルブ３１，３３，３５と、光合成光学系であるクロスダイクロイックプリズム３７と、各液晶ライトバルブ３１，３３，３５に駆動信号を出力する素子駆動装置３８とを有する。
【００１５】
Ｇ光照明装置２１は、Ｇ光用光源ユニット２１ａと、集光レンズ２１ｂとを備える。このうち、Ｇ光用光源ユニット２１ａは、固体光源と呼ばれる複数のＬＥＤ２１ｆを回路基板２１ｇ上に適当な２次元的配列で取り付けたものからなり、各ＬＥＤ２１ｆは、ミラーやレンズエレメント等からなる集光用光学部材２１ｈを個別に有している。各ＬＥＤ２１ｆは、３原色のうち緑（Ｇ）の範疇に含まれるＧ光をそれぞれ発生する。ＬＥＤ２１ｆから取り出されたＧ光、つまり第１光源光ＬＧは、集光用光学部材２１ｈ及び集光レンズ２１ｂを経た後、光変調装置３０のうちＧ光用の液晶ライトバルブ３１に入射する。これにより、液晶ライトバルブ３１上の被照射領域がＧ光によって均一に照明される。なお、Ｇ光用光源ユニット２１ａと集光レンズ２１ｂとの間には、液晶ライトバルブ３１に入射させる照明光を特定方向の偏光光とするための偏光変換素子２１ｃを配置することもできる。
【００１６】
Ｂ光照明装置２３は、Ｂ光用光源ユニット２３ａと、集光レンズ２３ｂとを備える。このうち、Ｂ光用光源ユニット２３ａは、Ｇ光用光源ユニット２１ａと同様の構造を有するが、回路基板２３ｇ上に異なる総数のＬＥＤ２３ｆが設けられており、各ＬＥＤ２３ｆは、３原色のうち青（Ｂ）の範疇に含まれるＢ光をそれぞれ発生する。このＢ光からなる第２光源光ＬＢは、集光用光学部材２３ｈ及び集光レンズ２３ｂを経た後、光変調装置３０のうちＢ光用の液晶ライトバルブ３３に入射する。これにより、液晶ライトバルブ３３上の被照射領域がＢ光によって均一に照明される。なお、Ｂ光用光源ユニット２３ａと集光レンズ２３ｂとの間には、液晶ライトバルブ３３に入射させる照明光を特定方向の偏光光とするための偏光変換素子２３ｃを配置することもできる。
【００１７】
Ｒ光照明装置２５は、Ｒ光用光源ユニット２５ａと、集光レンズ２５ｂとを備える。このうち、Ｒ光用光源ユニット２５ａは、Ｇ光用光源ユニット２１ａと同様の構造を有するが、回路基板２５ｇ上に異なる総数のＬＥＤ２５ｆが設けられており、各ＬＥＤ２５ｆは、３原色のうち赤（Ｒ）の範疇に含まれるＲ光をそれぞれ発生する。このＲ光からなる第３光源光ＬＲは、集光用光学部材２５ｈ及び集光レンズ２５ｂを経た後、光変調装置３０のうちＲ光用の液晶ライトバルブ３５に入射する。これにより、液晶ライトバルブ３５上の被照射領域がＲ光によって均一に照明される。なお、Ｒ光用光源ユニット２５ａと集光レンズ２５ｂとの間には、液晶ライトバルブ３５に入射させる照明光を特定方向の偏光光とするための偏光変換素子２５ｃを配置することもできる。
【００１８】
図２は、各光用の光源ユニット２１ａ〜２５ａの構造を概念的に説明する図である。図２（ａ）は、Ｇ光用光源ユニット２１ａにおけるＬＥＤ２１ｆの個数及び配列を示し、図２（ｂ）は、Ｂ光用光源ユニット２３ａにおけるＬＥＤ２３ｆの個数及び配列を示し、図２（ｃ）は、Ｒ光用光源ユニット２５ａにおけるＬＥＤ２５ｆの個数及び配列を示す。図からも明らかなように、Ｇ光用光源ユニット２１ａの場合、Ｇ光照明装置２１としての光軸ＯＡを中心としてその回りに８個のＬＥＤ２１ｆが配列されて回路基板２１ｇ上に固定されている。また、Ｂ光用光源ユニット２３ａの場合、Ｂ光照明装置２３としての光軸ＯＡを中心としてその回りに２個のＬＥＤ２３ｆが配列されて回路基板２３ｇ上に固定されている。さらに、Ｒ光用光源ユニット２５ａの場合、Ｒ光照明装置２５としての光軸ＯＡ上に２個のＬＥＤ２５ｆが配列されて回路基板２５ｇ上に固定されている。
【００１９】
以下、各色用の光源ユニット２１ａ〜２５ａに組み込むＬＥＤ２１ｆ〜２５ｆの個数について詳細に説明する。ＧＢＲの各色ごとの目標光束量は、各色の液晶ライトバルブ３１〜３５を照明する際の照度の目標値に対応するものであり、これらを例えばＡｇ：Ａｂ：Ａｒの比率とした場合に、目的とする色照明比を達成することができ、適正なホワイトバランスで画像を投射することができるものとする。また、各色の光源ユニット２１ａ〜２５ａを構成するＬＥＤ２１ｆ〜２５ｆの個数をそれぞれＣｇ，Ｃｂ，Ｃｒ個とし、各光源ユニット２１ａ〜２５ａにおいてｎ番目のＬＥＤ２１ｆ〜２５ｆが出力する出力光束量をそれぞれＥｇ（ｎ），Ｅｂ（ｎ），Ｅｒ（ｎ）とする。さらに、各光源ユニット２１ａ〜２５ａにおけるｎ番目のＬＥＤ２１ｆ〜２５ｆに関し、集光レンズ２１ｂ〜２５ｂ等を介しての液晶ライトバルブ３１〜３５に照明光を入射させる際の光利用効率をそれぞれＧｇ（ｎ），Ｇｂ（ｎ），Ｇｒ（ｎ）とする。以上の定義から、目標光束量の比Ａｇ：Ａｂ：Ａｒは、照明積の比として、以下の式（１）で与えられる。
【数１】
2005092048.tif 000003
ここで、ＬＥＤ２１ｆ〜２５ｆが出力する出力光束量が各色ごとに同一とした場合、Ｅｇ＝Ｅｇ（ｎ），Ｅｂ＝Ｅｂ（ｎ），Ｅｒ＝Ｅｒ（ｎ）となり、目標光束量の比Ａｇ：Ａｂ：Ａｒは、表現を変えた照明積の比として、以下の式（２）のように簡単化される。
【数２】
2005092048.tif 000004
さらに、ＬＥＤ２１ｆ〜２５ｆが出力する光束の光利用効率が各色ごとのＬＥＤ２１ｆ〜２５ｆの個数Ｃｇ，Ｃｂ，Ｃｒで定まるとした場合、Ｇｇ＝ＳＧｇ（Ｃｇ），ＳＧｂ＝ＳＧｂ（Ｃｂ），Ｇｒ＝ＳＧｒ（Ｃｒ）となり、目標光束量の比Ａｇ：Ａｂ：Ａｒは、さらに表現を変えた照明積の比として、以下の式（３）のようにさらに簡単化される。
【数３】
2005092048.tif 000005
以上の式（３）において、３つの光利用効率ＳＧｇ（Ｃｇ），ＳＧｂ（Ｃｂ），ＳＧｒ（Ｃｒ）は、ＬＥＤ２１ｆ〜２５ｆの仕様やサイズ、集光レンズ２１ｂ〜２５ｂ等によって定まるものであり、予め計測等を行うことにより、各色ごとのＬＥＤ２１ｆ〜２５ｆの個数とこれに対応する光利用効率との関係として求めておくことができる。つまり、ＬＥＤ２１ｆ〜２５ｆの個数を２，３，４，…と増加させる際に各回路基板２１ｇ〜２５ｇ上において光軸ＯＡのまわりにＬＥＤ２１ｆ〜２５ｆを配置するパターンを予め定めておくことにより、ＬＥＤ２１ｆ〜２５ｆの個数に対応した光利用効率を算定することができる。
【００２０】
図３は、Ｇ光を射出する特定仕様のＬＥＤ２１ｆを定格動作させた場合において、発光させるＬＥＤの個数を増加させたときの、光利用効率及び全射出光束量の変化の一例を示すグラフである。この場合、横軸がＬＥＤの個数を示し、縦軸が光利用効率（◆印）や全射出光束量（■印）を示す。ここで、全射出光束量とは、集光レンズ２１ｂを経て回収され照明に利用される光束量を意味するものとする。グラフからも明らかなように、ＬＥＤの個数の増加に伴って光利用効率が徐々に減少し、全射出光束量が徐々に飽和する傾向を示す。以上の説明は、Ｇ光用のＬＥＤ２１ｆについてのものであったが、他のＲ光やＢ光用のＬＥＤ２３ｆ，２５ｆについても同様の傾向があり、このような特性を予め把握しておくことにより、全射出光束量を所望の値に設定することができる。つまり、図３等に示す特性は、式（３）の光利用効率ＳＧｇ（Ｃｇ），ＳＧｂ（Ｃｂ），ＳＧｒ（Ｃｒ）に対応しており、各色の目標光束量の比（液晶ライトバルブ３１〜３５の照度比）と、各色のＬＥＤ２１ｆ〜２５ｆの出力光束量とを予め与えておけば、式（３）に基づいて、各色のＬＥＤ２１ｆ〜２５ｆの個数比を決定することができる。なお、最終的に取り付ける各色のＬＥＤ２１ｆ〜２５ｆの個数を端数とすることはできないので、端数に対応する色については一部又は全部のＬＥＤの仕様を変更してこれらの出力光束量を他のものより適宜増減させる。ここで、全体として取り出せる光束量の無駄をなくすため、出力光束量の大きなＬＥＤはなるべく光軸ＯＡの近傍に配置し、出力光束量の小さなＬＥＤは光軸ＯＡからはなれた位置に配置する。このように光束量を部分的に変更した場合の各色の目標光束量は、近似やシミュレーションによって簡単に予測することができ、予測から外れる場合は、ＬＥＤの仕様に関して適当な修正を加えればたる。
【００２１】
その他、ＬＥＤ２１ｆ〜２５ｆは、出力光束量が大きくなるほど高価になる傾向があり、その使用個数に応じてコストが増加し、ＬＥＤ２１ｆ〜２５ｆの後段の光学系は、光利用効率が大きくなるほど高価になる傾向がある。実際の設計では、ＬＥＤ２１ｆ〜２５ｆの出力光束量増減のコストへの影響と、後段光学系の光利用効率増減のコストへの影響とを比較考量してＬＥＤ２１ｆ〜２５ｆや後段光学系の仕様を決定する。さらに、ＬＥＤ２１ｆ〜２５ｆの個数増減のコストへの影響と、後段光学系の光利用効率増減のコストへの影響とを比較考量してＬＥＤ２１ｆ〜２５ｆの個数や後段光学系の仕様を決定する。
【００２２】
具体的な作製例で説明すると、図２に示す光源ユニット２１ａ〜２５ａの場合、Ｇ光用の１つのＬＥＤ２１ｆの出力光束量は３０〔ｌｍ〕であり、８個の場合の光利用効率が５０％であるから、Ｇ光の合計である全射出光束量は１２０〔ｌｍ〕となる。また、Ｂ光用の１つのＬＥＤ２３ｆの出力光束量は１０〔ｌｍ〕であり、２個の場合の光利用効率が６０％であるから、Ｂ光の合計である全射出光束量は１２〔ｌｍ〕となる。さらに、Ｒ光用の１つのＬＥＤ２５ｆの出力光束量は３０〔ｌｍ〕であり、２個の場合の光利用効率が６０％であるから、Ｒ光の合計である全射出光束量は３６〔ｌｍ〕となる。
【００２３】
図１に戻って、各液晶ライトバルブ３１，３３，３５は、それぞれに入射した各色光照明装置２１，２３，２５からの照明光を２次元空間的に変調して各色の像光を形成する。なお、各液晶ライトバルブ３１，３３，３５を通過した各色の像光は、クロスダイクロイックプリズム３７で合成されて、その一側面から射出される。クロスダイクロイックプリズム３７から射出された合成光の像は、投射光学系である投射レンズ４０に入射してスクリーン（不図示）に適当な拡大率で投影される。つまり、プロジェクタ１０によって、各液晶ライトバルブ３１，３３，３５に形成された各色Ｇ，Ｂ，Ｒの画像を合成したカラー画像が、動画又は静止画としてスクリーン上に投射される。なお、図示を省略しているが、各液晶ライトバルブ３１，３３，３５の周辺の適所には、これらの液晶ライトバルブ３１，３３，３５を偏光光で照明し読み出すため、偏光板が配置されている。
【００２４】
制御装置５０は、光源駆動装置２７に制御信号を出力して、各色光照明装置２１，２３，２５に設けた第１〜第３光源ユニット２１ａ，２３ａ，２５ａを構成する各ＬＥＤ２１ｃ，２３ｃ，２５ｃをカラー画像の投射に対応する適当なタイミングで発光させる。また、制御装置５０は、素子駆動装置３８に制御信号を出力して、各液晶ライトバルブ３１，３３，３５に投射画像の輝度に対応する２次元的な偏光特性分布を形成する。
【００２５】
以下、図１に示すプロジェクタ１０の動作について説明する。照明装置２０に設けたＧＢＲ光照明装置２１，２３，２５からの各色の照明光は、対応する液晶ライトバルブ３１，３３，３５にそれぞれ入射する。各液晶ライトバルブ３１，３３，３５は、外部からの画像信号に応じて動作する素子駆動装置３８によって変調されて２次元的屈折率分布を有しており、各色の照明光を２次元空間的に画素単位で変調する。このように、各液晶ライトバルブ３１，３３，３５で変調された照明光すなわち像光は、クロスダイクロイックプリズム３７で合成された後に投射光学系である投射レンズ４０に入射してスクリーンに投影される。この場合、各色光照明装置２１，２３，２５においてそれぞれ動作させる各色ごとのＬＥＤ２１ｆ，２３ｆ，２５ｆの個数を、これらＬＥＤ２１ｆ，２３ｆ，２５ｆの光利用効率Ｇｇ，Ｇｂ，Ｇｒを考慮した各色ごとの目標光束量Ａｇ，Ａｂ，Ａｒに基づいて設定しているので、ＬＥＤ２１ｆ，２３ｆ，２５ｆを定格電流で連続的に無駄なく動作させつつ、各色の液晶ライトバルブ３１，３３，３５における照度の色バランスを適切なものとすることができ、より目的に近い色彩（例えば白色）を実現することができる。また、各ＬＥＤ２１ｆ，２３ｆ，２５ｆの電力の調節によって出力光束量を調整する場合に比較して、調整用のボリュームが不要で回路構造が簡単になり、各ＬＥＤ２１ｆ，２３ｆ，２５ｆの動作も安定したものとなる。
【００２６】
〔第２実施形態〕
以下、本発明の第２実施形態に係るプロジェクタについて説明する。第２実施形態のプロジェクタは、第１実施形態のプロジェクタを変形したものであるので、共通分については同一の符号を付して説明を省略し、異なる部分についてのみ説明する。
【００２７】
図４は、第２実施形態のプロジェクタのＧ光照明装置１２１等の構造を説明する図である。Ｇ光照明装置１２１は、Ｇ光用光源ユニット２１ａと、フライアイレンズ部材１２１ｊと、集光レンズ２１ｂとを備える。ここで、フライアイレンズ部材１２１ｊは、各ＬＥＤ２１ｆから射出した光源光をそれぞれ個別に波面分割し、各ＬＥＤ２１ｆに対して複数の２次光源をそれぞれ形成するものである。つまり、各ＬＥＤ２１ｆから取り出したＧ光は、フライアイレンズ部材１２１ｊを経て波面分割された後、集光レンズ２１ｂによって重畳され、Ｇ光用の液晶ライトバルブ３１に入射する。これにより、ＬＥＤ２１ｆの個数に拘わらず、Ｇ光によって液晶ライトバルブ３１上の被照射領域が極めて均一に照明される。なお、以上の説明はＧ光照明装置１２１についてのものであったが、第２実施形態のＢ光照明装置やＲ光照明装置も、第１実施形態のＢ光照明装置２３やＲ光照明装置２５に対し集光光学部材２３ｈ，２５ｈに代えて図４に示すようなフライアイレンズ部材１２１ｊを組み込んだものであり、Ｂ光やＧ光についても液晶ライトバルブ３１、３３を極めて均一に照明することができる。つまり、各色を構成するＬＥＤ２１ｆ，２３ｆ，２５ｆの個数が違っていても、各色の照明光をそれぞれ均一に各色の液晶ライトバルブに入射させることができるので、色むらの少ない高品位の画像をスクリーン上に投射することができる。
【００２８】
なお、図示のフライアイレンズ部材１２１ｊは、ロッドレンズ等の他のオプティカル・インテグレータに置き換えることができ、この場合も、ＬＥＤ２１ｆ〜２５ｆの個数や配置に関わらず液晶ライトバルブ３１〜３５上において均一な照明を達成することができる。
【００２９】
以上、実施形態に即して本発明を説明したが、本発明は上記実施形態に限定されるものではない。例えば、各色ごとの目標光束量や、各色の光利用効率は、液晶ライトバルブ３１〜３５の特性、サイズ等や、プロジェクタ１０の詳細な仕様に応じて変動するものであり、これらに応じてＬＥＤ２１ｆ〜２５ｆの出力光束量や個数が設定されるので、図示のプロジェクタにおけるＬＥＤ２１ｆ〜２５ｆの個数等は単なる例示に過ぎない。
【００３０】
また、上記実施形態のプロジェクタ１０では、光変調装置３０を透過型の液晶ライトバルブ３１〜３５で構成しているが、反射型の液晶素子、デジタルミラーデバイス（ＤＭＤ）等でこれを構成することもできる。
【００３１】
また、上記実施形態では、ＬＥＤ２１ｆ〜２５ｆを用いて光源を構成しているが、ＬＥＤに代えてＥＬ発光素子、ＬＤ等の他の固体発光源を使用することもでき、この場合も上記実施形態と同様の手法によって各色の固体発光源の個数比を調整することができる。
【図面の簡単な説明】
【００３２】
【図１】第１実施形態に係るプロジェクタの構造を説明するブロック図である。
【図２】（ａ）〜（ｃ）は、各光源ユニットの構造を概念的に説明する図である。
【図３】ＬＥＤの個数と光利用効率及び全射出光束量との関係を示すグラフである。
【図４】第２実施形態のプロジェクタの要部を説明する図である。
【符号の説明】
【００３３】
１０  プロジェクタ、    ２０  照明装置、    ２１  Ｇ光照明装置、    ２１ａ  Ｇ光用光源ユニット、    ２１ｂ  集光レンズ、    ２１ｆ  ＬＥＤ、    ２３  Ｂ光照明装置、    ２５  Ｒ光照明装置、    ２７  光源駆動装置、    ３０  光変調装置、    ３１，３３，３５  液晶ライトバルブ、    ３７  クロスダイクロイックプリズム、    ４０  投射レンズ
【図１】
2005092048.tif 000006
【図２】
2005092048.tif 000007
【図３】
2005092048.tif 000008
【図４】
2005092048.tif 000009